(57)【要約】【課題】ユーザ機器（ＵＥ）デバイスによってネットワークノードの遠隔制御を実行するためのシステムおよび方法を提供すること。【解決手段】ユーザ機器（ＵＥ）デバイス（１０２Ａ）と共に動作するネットワークノード（１２２）を制御する方法であって、ネットワークノード（１２２）が、第１の接続を用いて、第１のネットワークを介してアクセス可能ではないことを決定する（３０２、３０４）ことと、ネットワークノード（１２２）において実行されるべきサービス特徴に関連するメッセージを構成する（３０６）ことと、第２のネットワークに属するラッパーの中に、メッセージをラップし（３０６）、第２のネットワークを介して、ネットワークノード（１２２）に、ラッパーを配向する（３０８）ことと、を包含する、方法。【選択図】図１
2011244477.tif 000002
【特許請求の範囲】
【請求項１】
ユーザ機器（ＵＥ）デバイス（１０２Ａ）と共に動作するネットワークノード（１２２）において提供されるテレフォニーサービス特徴を制御する、該ＵＥデバイス（１０２Ａ）において動作可能な方法であって、
該方法は、
該ＵＥデバイスが、ワイドエリアセルラネットワーク（３０２）を介して回線交換接続している間に、該ネットワークノード（１２２）において実行されるべきテレフォニーサービス特徴に関連するメッセージを構成する（３０６）ことであって、該テレフォニーサービス特徴は、該回線交換接続を介する現在進行中のコールに関連している、ことと、
該ネットワークノードにアドレス指定されるラッパーの中に、該メッセージをラップし（３０２）、該回線交換接続の制御チャネルを介して、該ネットワークノードに、該ラッパーを配向することにより、テレフォニーサービスが該ネットワークノードにおいて実行されるようにすることと
を包含する、方法。
【請求項２】
前記サービス特徴は、エンタープライズサービス特徴を含んでいる、請求項１に記載の方法。
【請求項３】
前記ネットワークノードは、エンタープライズサーバを含んでいる、請求項１に記載の方法。
【請求項４】
前記ネットワークノードに前記ラッパーを配向すると、タイマー機構が開始される、請求項１に記載の方法。
【請求項５】
前記ラッパーは、ショートメッセージサービス（ＳＭＳ）ベースのメッセージ、非構造化追加サービスデータ（ＵＳＳＤ）ベースのメッセージ、およびユーザトゥユーザ信号（ＵＵＳ）ベースのメッセージのうちの１つを含んでいる、請求項１に記載の方法。
【請求項６】
前記テレフォニーサービス特徴は、直接社内通話サービス、コール転送サービス、カスタマイズされた短縮ダイアリングサービス、音声メールサービス、フォローミーサービス、コールフォワーディングサービス、ミュージック保留サービス、自動リングバックサービス、自動コール分散サービス、コール待機サービス、コールピックアップサービス、会議サービス、コールアカウンティングサービス、音声ページングサービス、カスタマイズされたグリーティングサービス、共有メッセージボックスサービス、および自動化されたディレクトリサービスのうちの１つから選択される、請求項１に記載の方法。
【請求項７】
前記メッセージは、ユーザ入力に応答して、前記ＵＥデバイス上で実行しているテレフォニーアプリケーションによって構成される、請求項１に記載の方法。
【請求項８】
前記メッセージをサービスすると、前記ネットワークノードから確認応答を受信することをさらに含んでいる、請求項１に記載の方法。
【請求項９】
タイマー機構は、前記確認応答を受信すると終了される、請求項８に記載の方法。
【請求項１０】
前記確認応答は、前記制御チャネルを介して受信される、請求項８に記載の方法。
【請求項１１】
前記確認応答は、前記ＵＥデバイスと前記ネットワークノードとの間のパケット交換データ接続を介して受信される、請求項８に記載の方法。
【請求項１２】
ネットワークノードにおいて提供されるテレフォニーサービス特徴を制御するように動作可能なユーザ機器（ＵＥ）デバイスであって、
該ＵＥデバイスは、
該ネットワークノードにおいて実行されるべきテレフォニーサービス特徴に関連するメッセージを構成するように構成されたコンポーネントであって、該コンポーネントは、該ＵＥデバイスが、ワイドエリアセルラネットワークを介して回線交換接続している間に動作可能であり、該テレフォニーサービス特徴は、該回線交換接続を介する現在進行中のコールに関連している、コンポーネントと、
該ネットワークノードにアドレス指定されるラッパーの中に、該メッセージをラップし、該回線交換接続に関する制御チャネルを介して、該ネットワークノードに、該ラッパーを配向することにより、テレフォニーサービスが該ネットワークノードにおいて実行されるようにするように構成されたコンポーネントと
を備える、ＵＥデバイス。
【請求項１３】
前記サービス特徴は、エンタープライズサービス特徴を含んでいる、請求項１２に記載のＵＥデバイス。
【請求項１４】
前記ネットワークノードは、エンタープライズサーバを含んでいる、請求項１２に記載のＵＥデバイス。
【請求項１５】
前記ネットワークノードに前記ラッパーを配向すると、開始するように動作可能な、タイマー機構をさらに含んでいる、請求項１２に記載のＵＥデバイス。
【請求項１６】
前記ラッパーは、ショートメッセージサービス（ＳＭＳ）ベースのメッセージ、非構造化追加サービスデータ（ＵＳＳＤ）ベースのメッセージ、およびユーザトゥユーザ信号（ＵＵＳ）ベースのメッセージのうちの１つを含んでいる、請求項１２に記載のＵＥデバイス。
【請求項１７】
前記テレフォニーサービス特徴は、直接社内通話サービス、コール転送サービス、カスタマイズされた短縮ダイアリングサービス、音声メールサービス、フォローミーサービス、コールフォワーディングサービス、ミュージック保留サービス、自動リングバックサービス、自動コール分散サービス、コール待機サービス、コールピックアップサービス、会議サービス、コールアカウンティングサービス、音声ページングサービス、カスタマイズされたグリーティングサービス、共有メッセージボックスサービス、および自動化されたディレクトリサービスのうちの１つから選択される、請求項１２に記載のＵＥデバイス。
【請求項１８】
前記コンポーネントは、ユーザ入力に応答して、前記ＵＥデバイス上で実行しているアプリケーションを含むメッセージを構成するように構成されている、請求項１２に記載のＵＥデバイス。
【請求項１９】
前記ネットワークノードから確認応答を受信すると停止するタイマー機構をさらに含んでいる、請求項１２に記載のＵＥデバイス。
【発明の詳細な説明】
【技術分野】
【０００１】
（関連出願の引用）
本出願は、以下の米国特許出願（ｉ）「ＳＹＳＴＥＭ  ＡＮＤ  ＭＥＴＨＯＤ  ＦＯＲ  ＥＳＴＡＢＬＩＳＨＩＮＧ  ＲＥＬＩＡＢＬＥ  ＤＡＴＡ  ＣＯＮＮＥＣＴＩＶＩＴＹ  ＷＩＴＨ  Ａ  ＮＥＴＷＯＲＫ  ＮＯＤＥ  ＢＹ  Ａ  ＵＳＥＲ  ＥＱＵＩＰＭＥＮＴ（ＵＥ）  ＤＥＶＩＣＥ」（管理番号第３１７４６−ＵＳ−ＰＡＴ号）、出願番号第＿、出願日＿、発明者Ｒｉｃｈａｒｄ  Ｇｅｏｒｇｅ、Ｂｒｉａｎ  Ｏｌｉｖｅｒ、Ｊａｎ  Ｊｏｈｎ−Ｌｕｃ  Ｂａｋｋｅｒ、およびＡｄｒｉａｎ  Ｂｕｃｋｌｅｙの発明内容に関連する発明内容を開示しており、上記米国特許出願は、参照により本明細書に援用される。
【０００２】
（開示の分野）
本特許開示は、概して、通信ネットワークを開示している。より具体的には、本特許開示は、なんら限定するわけではないが、ネットワークノードが、非デジタルアドレス可能状態（ｎｏｎ−ｄｉｇｉｔａｌｌｙ  ａｄｄｒｅｓｓａｂｌｅ  ｃｏｎｄｉｔｉｏｎ）におかれている間に、ユーザ機器（ＵＥ；ｕｓｅｒ  ｅｑｕｉｐｍｅｎｔ）デバイスによってネットワークノードの遠隔制御を実行するためのシステムおよび方法に関する。
【背景技術】
【０００３】
（背景）
セルラテレフォニーネットワーク、例えば、グローバルシステムフォーモバイルコミュニケーション（ＧＳＭ；Ｇｌｏｂａｌ  Ｓｙｓｔｅｍ  ｆｏｒ  Ｍｏｂｉｌｅ  Ｃｏｍｍｕｎｉｃａｔｉｏｎｓ）ネットワークは、様々な能力を有する様々なモバイルユーザ機器（ＵＥ）デバイスをサポートするように設計されている。例えば、一部のＵＥデバイスは、音声コールのみに従事する能力を有している。一方で、同時ではない音声およびデータ能力を有するデバイス、および同時の音声およびデータ接続をサポートし得るデバイスが存在し得る。しかしながら、特定の本質的な設計配慮に起因して、非同時の音声およびデータ能力を有するＵＥデバイスは、一般に、同時の音声およびデータ能力を有するデバイスよりも、より普及している。この状況は、回線交換接続上の音声コールの間に、デバイスがデータを送信することができないという欠陥を引き起こす。
【０００４】
そのような挙動に対処するために、現在の第３世代パートナーシッププロジェクト（３ＧＰＰ；３ｒｄ  Ｇｅｎｅｒａｔｉｏｎ  Ｐａｒｔｎｅｒｓｈｉｐ  Ｐｒｏｊｅｃｔ）規格は、ＵＥデバイスに関して、擬似同時の音声およびデータ能力をエミュレートする解決策を提供している。とはいえ、この解決策は、いまだに広く実施されていない。なぜならば、これは、ＵＥデバイスおよびネットワークインフラストラクチャにおいて、高額な追加的なソフトウェアおよびハードウェアを必要とするからである。結果として、音声コールに従事しているＵＥデバイスに、（例えば、コール制御を実行するために）エンタープライズ関連のデータ接続性を提供したいと考えるシステムに対し、システムのエンタープライズサーバは、もはやデジタルアクセス可能なネットワークノードではなくなってしまうので、従来の選択は、デュアルトーンマルチ周波数（ＤＴＭＦ；Ｄｕａｌ  Ｔｏｎｅ  Ｍｕｌｔｉ−Ｆｒｅｑｕｅｎｃｙ）信号伝達の使用であった。これは、帯域内（ユーザに対して可聴である）モードまたは帯域外（ユーザに対して不可聴である）モードにおけるコマンド信号を使用する。しかしながら、このアプローチでさえも、付随する欠点を有していないわけではない。例えば、ＤＴＭＦ信号伝達は、通常、一方向のみに信頼性があり、トーンを受信および処理するために、エンタープライズサーバが、高額な音声処理ハードウェアおよびソフトウェアを有していることを必要とする。さらに、複数のシステムもまた、同じトーンを用いるので、間違ったシステムが、異なるシステムに向けられた、受信したトーンを処理し得ることが起こり得る。例えば、聴覚障害者用通信機器（ＴＤＤ；Ｔｅｌｅｃｏｍｍｕｎｉｃａｔｉｏｎｓ  Ｄｅｖｉｃｅ  ｆｏｒ  ｔｈｅ  Ｄｅａｆ）技術に用いられる代替的なスピーチ／データの実装を含む、さらに別の従来のオプションもまた、不完全なものであることがわかっている。
【発明の概要】
【課題を解決するための手段】
【０００５】
（概要）
本特許開示は、広く、なんらかの理由で非デジタルアドレス可能（ｎｏｎ−ｄｉｇｉｔａｌｌｙ  ａｄｄｒｅｓｓａｂｌｅ）にされたネットワークノード（例えば、エンタープライズサーバ）の遠隔制御を実行するためのスキームに関し、遠隔制御は、回線交換接続に従事しているか、そうではない間に、ＵＥデバイスによって実行される。エンタープライズサービス特徴に関連するメッセージは、構成され、ラッパーにラップされ、その後これは、要求されたサービス特徴を呼び出すために、帯域外制御チャネルを介して、エンタープライズサーバに送信される。例示的な実装において、ラッパーは、ショートメッセージサービス（ＳＭＳ；Ｓｈｏｒｔ  Ｍｅｓｓａｇｅ  Ｓｅｒｖｉｃｅ）ベースのメッセージ、非構造化追加サービスデータ（ＵＳＳＤ；Ｕｎｓｔｒｕｃｔｕｒｅｄ  Ｓｕｐｐｌｅｍｅｎｔａｒｙ  Ｓｅｒｖｉｃｅ  Ｄａｔａ）ベースのメッセージ、およびユーザトゥユーザ信号（ＵＵＳ；Ｕｓｅｒ−ｔｏ−Ｕｓｅｒ  Ｓｉｇｎａｌｉｎｇ）ベースのメッセージ等（しかし、これらには限定されない）から構成され得る。
【０００６】
一局面において、ＵＥデバイスと共に動作するネットワークノードを制御するための方法の実施形態が、本明細書に開示されている。ＵＥデバイスは、第１の接続および第２の接続のうちの少なくとも１つで、ネットワークノードと通信するように動作可能であり、第１および第２の接続は、２つの異なるネットワークまたは技術で実行可能である。クレームされている実施形態は、以下の１つ以上を含んでいる：ネットワークノードは、第１の接続を用いて、第１のネットワークを介してアクセス可能ではないことを決定すること；ネットワークノードにおいて実行されるべきサービス特徴に関連するメッセージを構成すること；および第２のネットワークに属するラッパーに上記メッセージをラップし、第２のネットワークを介して、このラッパーをネットワークノードに配向すること。
【０００７】
別の局面において、ネットワークノードを制御するように動作可能なＵＥデバイスの実施形態が、本明細書に開示されている。ＵＥデバイスは、第１の接続および第２の接続の少なくとも１つで、ネットワークノードと通信するように動作可能であり、第１および第２の接続は、２つの異なるネットワークまたは技術で実行可能である。クレームされている実施形態は、以下の１つ以上を含んでいる：ネットワークノードが、第１の接続を用いて、第１のネットワークを介してアクセス可能ではないことを決定するための手段；ネットワークノードにおいて実行されるべきサービス特徴に関連するメッセージを構成するための手段；第２のネットワークに属するラッパーに上記メッセージをラップし、このラッパーを第２のネットワークを介してネットワークノードに配向するための手段。
【０００８】
なおもさらなる局面において、ＵＥデバイスによって遠隔制御されるように動作可能なネットワークノードの実施形態が、本明細書に開示されている。クレームされている実施形態は、以下の１つ以上を含んでいる：ＵＥデバイスから活性化されたサービス特徴に関連するメッセージを受信するための手段であって、このサービス特徴は、ネットワークノード上で実行され、ネットワークノードは、第１の接続および第２の接続の少なくとも１つを介してアクセス可能であり、第１および第２の接続は、２つの異なるネットワークまたは技術で実行可能である、手段、ネットワークノードが、第１の接続によって第１のネットワークを介してアクセス可能ではないときに、第２のネットワークに属するラッパーに含まれるメッセージを受信するように動作可能な受信するための手段；メッセージをサービスし、ＵＥデバイスに対する送信のための確認応答を生成するための手段。以下にさらに詳細に記載されているように、当業者は、本明細書に記載されている様々な手段が、媒体上の適切なコンピュータ実行可能な命令を含む、ソフトウェア、ファームウェア、ハードウェア、またはそれらの任意の組み合わせに実装され得るということを理解すべきである。
【０００９】
本発明は、さらに以下の手段を提供する。
【００１０】
（項目１）  
ユーザ機器（ＵＥ）デバイス（１０２Ａ）と共に動作するネットワークノード（１２２）を制御する方法であって、該ＵＥデバイス（１０２Ａ）は、第１の接続および第２の接続のうちの少なくとも１つで、該ネットワークノード（１２２）と通信し、該第１および該第２の接続は、２つの異なるネットワークを介して実行可能であり、
該ネットワークノード（１２２）が、該第１の接続を用いて、第１のネットワークを介してアクセス可能ではないことを決定する（３０２、３０４）ことと、
該ネットワークノード（１２２）において実行されるべきサービス特徴に関連するメッセージを構成する（３０６）ことと、
第２のネットワークに属するラッパーの中に、該メッセージをラップし（３０６）、該第２のネットワークを介して、該ネットワークノード（１２２）に、該ラッパーを配向する（３０８）ことと
を包含する、方法。
【００１１】
（項目２）  
上記ネットワークノード（１２２）に上記ラッパーを配向する（３０８）と、タイマー機構（２０５）が開始される、項目１に記載の方法。
【００１２】
（項目３）  
上記ラッパーは、ショートメッセージサービス（ＳＭＳ）ベースのメッセージ、非構造化追加サービスデータ（ＵＳＳＤ）ベースのメッセージ、およびユーザトゥユーザ信号（ＵＵＳ）ベースのメッセージのうちの１つを含んでいる、項目１または項目２に記載の方法。
【００１３】
（項目４）  
上記サービス特徴は、テレフォニーサービス特徴を含んでいる、項目３に記載の方法。
【００１４】
（項目５）  
上記テレフォニーサービス特徴は、直接社内通話サービス、コール転送サービス、カスタマイズされた短縮ダイアリングサービス、音声メールサービス、フォローミーサービス、コールフォワーディングサービス、ミュージック保留サービス、自動リングバックサービス、自動コール分散サービス、コール待機サービス、コールピックアップサービス、会議サービス、コールアカウンティングサービス、音声ページングサービス、カスタマイズされたグリーティングサービス、共有メッセージボックスサービス、および自動化されたディレクトリサービスのうちの１つから選択される、項目４に記載の方法。
【００１５】
（項目６）  
上記メッセージをサービスする（２０６）と、上記ネットワークノード（１２２）から確認応答を受信する（３１０）ことをさらに含んでいる、項目１に記載の方法。
【００１６】
（項目７）  
上記タイマー機構（２０５）は、上記確認応答を受信すると終了される、項目６に記載の方法。
【００１７】
（項目８）  
上記確認応答は、上記第１のネットワークを介して実行された回線交換コールに関連して、帯域外チャネルを介して受信される、項目６に記載の方法。
【００１８】
（項目９）  
上記確認応答は、上記ＵＥデバイス（１０２Ａ）と上記ネットワークノード（１２２）との間のパケット交換データ接続を介して受信される、項目６に記載の方法。
【００１９】
（項目１０）  
上記ラッパーは、行き先アドレスを有している中間のノード（２０３）を介して配向され、該中間のノードは、ショートメッセージサービスセンター（ＳＭＳＣ）、ＵＳＳＤゲートウェイ、およびＵＵＳ機能のうちの１つを含んでいる、項目１に記載の方法。
【００２０】
（項目１１）  
上記行き先アドレスは、上記ＵＥデバイス（１０２Ａ）内に統合されたメモリ回路、および該ＵＥデバイス（１０２Ａ）と共に動作可能なリムーバブルモジュールのうちの少なくとも１つに格納されている、項目１０に記載の方法。
【００２１】
（項目１２）  
上記リムーバブルモジュールは、汎用加入者識別モジュール（ＵＳＩＭ）、リムーバブルユーザ識別モジュール（ＲＵＩＭ）、コンパクトフラッシュ（登録商標）モジュール、およびセキュアデジタル（ＳＤ）メモリカードのうちの１つを含んでいる、項目１１に記載の方法。
【００２２】
（項目１３）  
上記行き先アドレスは、上記ＵＥデバイス（１０２Ａ）によって、インターフェース（４３４）を介して、上記リムーバブルモジュールから読み取られる、項目１２に記載の方法。
【００２３】
（項目１４）  
ネットワークノード（１２２）を制御するように動作可能なユーザ機器（ＵＥ）デバイス（１０２Ａ）であって、該ＵＥデバイス（１０２Ａ）は、第１の接続および第２の接続のうちの少なくとも１つで、該ネットワークノード（１２２）と通信し、該第１および該第２の接続は、２つの異なるネットワークを介して実行可能であり、
該ネットワークノード（１２２）が、該第１の接続を用いて、第１のネットワークを介してアクセス可能ではないことを決定する手段（４０２、４３６、４４８）と、
該ネットワークノード（１２２）において実行されるべきサービス特徴に関連するメッセージを構成する手段（４０２、４３６、４４８）と、
第２のネットワークに属するラッパーの中に、該メッセージをラップし、該第２のネットワークを介して、該ネットワークノード（１２２）に、該ラッパーを配向する手段（４０２、４３６、４４８）と
を備えている、ＵＥデバイス（１０２Ａ）。
【００２４】
（項目１５）  
上記ネットワークノード（１２２）に上記ラッパーを配向すると、開始するように動作可能な、タイマー機構（２０５、４３３）をさらに含んでいる、項目１４に記載のＵＥデバイス（１０２Ａ）。
【００２５】
（項目１６）  
上記ラッパーは、ショートメッセージサービス（ＳＭＳ）ベースのメッセージ、非構造化追加サービスデータ（ＵＳＳＤ）ベースのメッセージ、およびユーザトゥユーザ信号（ＵＵＳ）ベースのメッセージのうちの１つを含んでいる、項目１４または項目１５に記載のＵＥデバイス（１０２Ａ）。
【００２６】
（項目１７）  
上記ネットワークノード（１２２）から確認応答を受信すると停止するタイマー機構（２０５、４３３）をさらに含んでいる、項目１４に記載のＵＥデバイス（１０２Ａ）。
【００２７】
（項目１８）  
上記ラッパーは、行き先アドレスを有している中間のノード（２０３）を介して配向され、該中間のノードは、ショートメッセージサービスセンター（ＳＭＳＣ）、ＵＳＳＤゲートウェイ、およびＵＵＳ機能のうちの１つを含んでいる、項目１４に記載のＵＥデバイス（１０２Ａ）。
【００２８】
（項目１９）  
上記行き先アドレスは、上記ＵＥデバイス（１０２Ａ）内に統合されたメモリ回路、および該ＵＥデバイス（１０２Ａ）と共に動作可能なリムーバブルモジュールのうちの少なくとも１つに格納される、項目１８に記載のＵＥデバイス（１０２Ａ）。
【００２９】
（項目２０）  
上記リムーバブルモジュールは、汎用加入者識別モジュール（ＵＳＩＭ）、リムーバブルユーザ識別モジュール（ＲＵＩＭ）、コンパクトフラッシュ（登録商標）モジュール、およびセキュアデジタル（ＳＤ）メモリカードのうちの１つを含んでおり、該リムーバブルモジュールは、インターフェース（４３４）を介して該ＵＥデバイス（１０２Ａ）に接続するように動作可能である、項目１９に記載のＵＥデバイス（１０２Ａ）。
【００３０】
（項目２１）  
ユーザ機器（ＵＥ）デバイス（１０２Ａ）によって遠隔制御されるように動作可能なネットワークノード（１２２）であって、
該ＵＥデバイス（１０２Ａ）から活性化されるサービス特徴に関連するメッセージを受信する手段であって、該サービス特徴は、該ネットワークノード（１２２）上で実行され、該ネットワークノードは、第１の接続および第２の接続のうちの少なくとも１つを介してアクセス可能であり、該第１および該第２の接続は、２つの異なるネットワークを介して実行可能であり、該受信する手段は、該ネットワークノード（１２２）が該第１の接続によって第１のネットワークを介してアクセス可能ではないときに、第２のネットワークに属するラッパーの中に含まれる該メッセージを受信するように動作する、手段と、
該メッセージをサービスし、該ＵＥデバイス（１０２Ａ）に送信するための確認応答を生成するための手段（２０６）と
を備えている、ネットワークノード（１２２）。
【００３１】
（項目２２）  
上記ラッパーは、ショートメッセージサービス（ＳＭＳ）ベースのメッセージ、非構造化追加サービスデータ（ＵＳＳＤ）ベースのメッセージ、およびユーザトゥユーザ信号（ＵＵＳ）ベースのメッセージのうちの１つを含んでいる、項目２１に記載のネットワークノード（１２２）。
【００３２】
（項目２３）  
上記確認応答は、上記ＵＥデバイス（１０２Ａ）と上記ネットワークノード（１２２）との間のパケット交換データ接続を介して送信されるように動作可能である、項目２１に記載のネットワークノード（１２２）。
【００３３】
（摘要）
一実施形態において、ユーザ機器（ＵＥ）デバイス（１０２Ａ）によってネットワークノード（１２２）の遠隔制御を実行するためのスキームが開示される。サービス特徴に関連するメッセージは、ラッパー（ｗｒａｐｐｅｒ）に構成およびラップされ、その後これは、要求されたサービス特徴を呼び出すために、帯域外チャネルを介して、ネットワークノード（１２２）に送信される。例示的な実装において、ラッパーは、ショートメッセージサービス（ＳＭＳ）ベースのメッセージ、非構造化追加サービスデータ（ＵＳＳＤ）ベースのメッセージ、およびユーザトゥユーザ信号（ＵＵＳ）ベースのメッセージから構成されている。
【図面の簡単な説明】
【００３４】
【図１】図１は、回線交換ネットワークインフラストラクチャを含む、例示的なネットワーク環境を示しており、本特許開示の実施形態は、このネットワーク環境で実施され得る。
【図２】図２は、本特許開示の１つ以上の実施形態にしたがう、エンタープライズサーバの遠隔制御を実行するための、例示的なメッセージの流れ図を示している。
【図３】図３は、１つの実施形態にしたがう、本特許開示の流れ図を示している。
【図４】図４は、本特許開示の目的のために動作する通信デバイスの実施形態のブロック図を示している。
【発明を実施するための形態】
【００３５】
本特許開示の実施形態のより完全な理解は、添付の図面を参酌したときに、以下の詳細な説明を参照することにより、なされ得る。
【００３６】
（図面の詳細な説明）
ここで、本特許開示のシステムおよび方法が、実施形態が最良に構成および使用され得る方法の様々な例に関連して記載される。記載およびいくつかの図面を通して、同じ参照番号は、同じパーツまたは対応するパーツを示すように用いられており、様々な要素は、必ずしも一定の比率で描かれてはいない。ここで図面を参照すると、より具体的には図１を参照すると、例示的なネットワーク環境１００が示されており、本特許開示の実施形態は、エンタープライズサーバの遠隔制御を実行するために、このネットワーク環境上で実行され得る。示されているように、ネットワーク環境１００は、コアのセルラインフラストラクチャネットワーク１０８を含んでおり、これは例えば、複数のモバイルユーザ機器（ＵＥ）に関する、グローバルシステムフォーモバイルコミュニケーション（ＧＳＭ）のような既知の公知の技術を用いることにより、回線交換テレコミュニケーションを実行する。例えば、参照番号１０２Ａおよび１０２Ｂは、ＵＥデバイス（すなわち、エンドポイント）を示しており、これは、公知の要素、例えば、１つ以上のモバイル交換センター（ＭＳＣ）１１５、１１６；１つ以上のゲートウェイＭＳＣ（ＧＭＳＣ）１１２；１つ以上のホームロケーションレジスタ（ＨＬＲ）またはホーム加入者システム（ＨＳＳ）１１４；１つ以上のビジターロケーションレジスタ（ＶＬＲ）１１８；および１つ以上の無線アクセスネットワーク（ＲＡＮ）インフラストラクチャ要素１２０を介して、ネットワーク１０８上の回線交換されたコールに従事し得る。以下からわかるように、本特許開示の特定の実施形態は、例えばＭＳＣ／ＶＬＲ、ＨＬＲ／ＨＳＳのような、公知の要素を用いて示され得、これらは、特定の機能を有するネットワークノードとして一般化され得、例えば、ＭＳＣ／ＶＬＲエンティティは、コール制御、サービス制御、およびメディア交換を実行し得る。したがって、本明細書に開示されている特定の実装に関わらず、例示的な機能はまた、別のより複雑なプラットフォームによって、実行され得るということが理解されるべきである。
【００３７】
さらなる一般化のために、ＵＥデバイスは、セルラ電話またはモバイル局、適切な無線モデムが設けられた任意のパーソナルコンピュータ（例えば、デスクトップ、ラップトップ、パームトップ、またはハンドヘルドコンピューティングデバイス）、またはデュアルモードのモバイルＵＥデバイス（例えば、メッセージの送受信が可能なセルラ電話またはデータが使用可能なハンドヘルドデバイス、ウェブブラウジングのような（しかし、これには限定されない）アプリケーションを含んでいるＩＰデータグラム）であり得る。したがって、必須要件ではないが、本特許出願の目的のためのＵＥデバイスは、回線交換（ＣＳ）およびパケット交換（ＰＳ）通信の両方で動作することが可能であり得、ＣＳドメインとＰＳドメインとの両方の間の技術間のハンドオフを実行することすら、可能であり得る。
【００３８】
１つ以上のエンタープライズサーバ１２２は、多数のサービスおよび／またはサービス特徴をホストするために、ネットワーク１０８と動作が関連したものであり得、これは、ＵＥデバイス（例えば、ＵＥデバイス１０２Ａ）から遠隔的に制御され得るが、このデバイスは、エンドポイントとＣＳ接続されている。以下でさらに詳細に記載されるように、現在進行中のＣＳ接続に関する帯域外制御チャネルにおいて送信されている、ＵＥデバイスからの適切なメッセージを受信するために、（単数または複数の）エンタープライズノード１２２には、適切なインターフェースが提供され得る。さらに、（単数または複数の）エンタープライズサーバ１２２は、いくつかの理由で非デジタルアドレス可能にされているネットワークノードに一般化され得る。例示的な実装において、図１の実施形態は、所定の配置を示しており、この配置において、ＵＥデバイス１０２Ａは、任意の方法（例えば、格納転送機構）で、ショートテキストメッセージのデリバリを実行するように実装された、ＳＭＳメッセージングを用いることにより、サーバ１２２におけるサービス／特徴を制御するように動作可能である。さらなる実施形態において、（単数または複数の）エンタープライズサーバ１２２は、セッション指向の機構の制御チャネル上で実行される非構造化追加サービスデータ（ＵＳＳＤ）メッセージングによって、制御され得る。さらなる実施形態においては、ユーザトゥユーザ信号（ＵＵＳ）もまた用いられ得、中間のノードはこれによって、ＵＳＳメッセージフローをキャプチャし、それをエンタープライズサーバに配向する。そのようなノードは、例えば、改良型構内変換器（ＰＢＸ；Ｐｒｉｖａｔｅ  Ｂｒａｎｃｈ  Ｅｘｃｈａｎｇｅ）（これは、ホストされるＰＢＸであるか、またはホストされないＰＢＸであり得る）のように、エンタープライズサーバが配置されるネットワーク内に存在し得る。
【００３９】
図１に示されている例示的なＳＭＳの実装に関連して、ショートメッセージを構成および送受信するために、ショートメッセージエンティティ（ＳＭＥ；Ｓｈｏｒｔ  Ｍｅｓｓａｇｅ  Ｅｎｔｉｔｙ）１０４が、ＵＥデバイス１０２Ａに提供される。ＵＥデバイス１０２Ａ上で実行するサービスアプリケーションロジッククライアント１０５は、ユーザ入力に応答して、サービス特徴に関連するメッセージを生成するように動作可能であり、このメッセージは、ＳＭＳメッセージにラップされ、このＳＭＳメッセージは、エンタープライズサーバ１２２に配向される。ショートメッセージサービスセンター（ＳＭＳＣ）１１０は、１つ以上の中間のノードに対するインターフェースとして動作可能な外部ＳＭＥ１１１に、ＳＭＳラッパーを（例えば、格納転送機構を介して）提供するように動作可能であり、そしてこれは、必要に応じて、その他のゲートウェイを介することにより、エンタープライズサーバ１１２と通信し得る。通常のＳＭＳメールボックス（例えば、ＳＭＳエンドユーザコンタクトに関連するテキストメッセージを送受信することに使用するためのメールボックス）が満杯でエンタープライズサーバからのメッセージがデリバされないことがあり得るので、遠隔制御の実行に関連して、ＵＥデバイス１０２Ａには、専用のＳＭＳメールボックス（図１には明示的に示されてはいない）が提供され得ることが、当業者によって理解されるべきである。
【００４０】
さらに、図１には明示的に示されてはいないが、ＵＥデバイス１０２Ａと（単数または複数の）ノード１２２との間に配置されるＰＳネットワークを介して実行されるように動作可能な、別個のデータネットワーク接続が存在し得る。したがって、ネットワーク環境１００は、ＵＥデバイス１０２Ａと（単数または複数の）ノード１２２との間の２つの異なるネットワーク接続性を有しているように視覚化され得、ネットワーク接続性のうちの１つのタイプは、本明細書に記載されているラッパー機構を用いることにより、ネットワーク部分１０８上で実行されることが、理解されるべきである。
【００４１】
本特許開示の目的のために、エンタープライズサーバ１１２上で制御されるサービスは、事実上無制限である。例示のために、進行中のＣＳコールに関連する多数のテレフォニーコール、例えば、直接社内通話サービス、コール転送サービス、カスタマイズされた省略ダイアリングサービス、音声メールサービス、フォローミーサービス、コールフォワーディングサービス、ミュージック保留サービス、自動リングバック、自動コール分散サービス、コール待機サービス、コールピックアップサービス、会議サービス、コールアカウンティングサービス、音声ページングサービス、カスタマイズされたグリーティングサービス、共有メッセージボックスサービス、および自動化されたディレクトリサービスが、提供され得る。
【００４２】
当業者は、上述の教示は、図１に示されているような、中間のメッセージングベースのネットワークノードが利用され得る、メッセージングベースの遠隔コール制御のコンテクスト内で一般化され得ることを理解し得る。そのような配置においては、中間のネットワークノードアレイは、ＳＭＳＣまたはＵＳＳＤ／ＵＵＳゲートウェイのいずれかを含み得る。したがって、中間のノードの行き先アドレスは、１つの例示的な実施形態におけるＥ．１６４ナンバーの形式を取り得る。さらに、行き先アドレスは、ＵＥデバイスの集積メモリ回路内に格納され得るか、または汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）、リムーバブルユーザ識別モジュール（ＲＵＩＭ；Ｒｅｍｏｖａｂｌｅ  Ｕｓｅｒ  Ｉｄｅｎｔｉｔｙ  Ｍｏｄｕｌｅ）、コンパクトフラッシュ（登録商標）、セキュアデジタル（ＳＤ；Ｓｅｃｕｒｅ  Ｄｉｇｉｔａｌ）メモリカード等の、リムーバブルモジュールに格納され得る。１つの実装において、リムーバブルモジュールに格納される行き先アドレスのフォーマットは、以下の形式を取り得、これは、適用可能な３ＧＰＰ仕様で提供される実施形態を示している。
【００４３】
【表１】
2011244477.tif 000003
さらに、サービングメッセージングネットワークノードの行き先アドレスは、無線経由（ＯＴＡ；Ｏｖｅｒ−Ｔｈｅ−Ａｉｒ）デバイス管理（ＤＭ）技術に加えて、またはこの技術と関連して、ＳＭＳ、ＵＳＳＤを用いて、またはＩＰアドレッシング等を介して、特定のエンドポイントデバイスに提供され得る。アドレスがデバイス上に提供されるべきとき、ＳＭＳにおける適切なコードポイントが、例えば、ＴＰ−プロトコル識別子（ＴＰ−ＰＩＤ；ＴＰ−Ｐｒｏｔｏｃｏｌ  Ｉｄｅｎｔｉｆｉｅｒ）を設定することにより、無線ＵＥデバイスのデータのダウンロードを示す値に設定されることが必要とされ得る。
【００４４】
ＵＳＳＤメッセージングが、遠隔制御の実行のために実装される場合、特定の「＊＃」シーケンスが、正しいＵＳＳＤサーバにデータラッパーを配向するために用いられることが必要とされ得る。さらに、このシーケンスは、オペレータ特有のものであり得、さらにはＵＥデバイスに提供され得る。例えば、シーケンスは、デバイス製造業者において、特定のオペレータ、オペレータのグループ、または全てのオペレータに対して、提供され得る。したがって、「＊＃」シーケンスは、キャリアに依存し得るということが理解されるべきであり、ＵＥデバイスは、全てのキャリアに対して、全ての「＊＃」シーケンスを用いて構成され得るということ、またはそれが、ホームサービスを提供する特定のキャリアに対して構成され得るということが、理解されるべきである。ＵＥデバイスは、適切な手段によって、（単数または複数の）キャリア識別子を含み得る。例えば、以下の表は、例示的な実施形態を示している。
【００４５】
【表２】
2011244477.tif 000004
ここで、オペレータＩＤは、ネットワーク技術に基づいてオペレータを一意的に識別する識別子である。例えば、３ＧＰＰ／ＧＳＭネットワークは、モバイルカントリーコード（ＭＣＣ；Ｍｏｂｉｌｅ  Ｃｏｕｎｔｒｙ  Ｃｏｄｅ）およびモバイルネットワークコード（ＭＮＣ；Ｍｏｂｉｌｅ  Ｎｅｔｗｏｒｋ  Ｃｏｄｅ）の組み合わせを用いることによって識別され得；ＳＩＰネットワークは、ネットワークアクセス識別子（ＮＡＩ；Ｎｅｔｗｏｒｋ  Ａｃｃｅｓｓ  ｉｄｅｎｔｉｆｉｅｒ）を用い；ＣＤＭＡネットワークは、システム識別（ＳＩＤ；Ｓｙｓｔｅｍ  Ｉｄｅｎｔｉｆｉｃａｔｉｏｎ）パラメータを用い；ＷＬＡＮネットワークは、サービスセットＩＤ（ＳＳＩＤ；Ｓｅｒｖｉｃｅ  Ｓｅｔ  ＩＤ）を用いる。
【００４６】
あるいは、または加えて、この提供は、ユーザが、信用証明（プライベートなユーザ識別）の新しいセットを入力するときに、実行され得る。この信用証明は、例えば、ＵＳＩＭ上の国際モバイル加入者識別（ＩＭＳＩ；Ｉｎｔｅｒｎａｔｉｏｎａｌ  Ｍｏｂｉｌｅ  Ｓｕｂｓｃｒｕｂｅｒ  Ｉｄｅｎｔｉｔｙ）、またはモバイル識別番号（ＭＩＮ；Ｍｏｂｉｌｅ  ｉｄｅｎｔｉｆｉｃａｔｉｏｎ  Ｎｕｍｂｅｒ）または個人識別番号（ＰＩＮ；Ｐｅｒｓｏｎａｌ  Ｉｄｅｎｔｉｆｉｃａｔｉｏｎ  ｎｕｍｂｅｒ）、またはパブリックユーザ識別（例えば、Ｅ．１６４ナンバー）、またはその他のなんらかのＳＩＰベースのＩＤまたはそれらの組み合わせ等である。そして、信用証明の提供は、「＊＃」シーケンスを含んでいるオペレータ特有の提供情報を使用することを要求するために、ＵＥデバイスをトリガする。当業者によって理解されるように、ＳＭＳＣノードの行き先アドレスに関連して、同様な機構もまた用いられ得る。
【００４７】
加えて、ＳＭＳＣアドレッシング情報が用いられる場合、そのような情報は、ユーザ、および／またはオペレータ、および／またはエンタープライズによって変更可能である。ユーザ、オペレータ、またはエンタープライズが、変更を実行し得るかどうかを示すために、様々な構成フィールドが提供され得る。同様に、ＵＳＳＤシーケンスの情報もまた、適切な構成フィールドの設定を用いて、変更可能な特徴を示すことにより、オペレータおよび／またはエンタープライズによって、変更され得る。したがって、本開示の目的のために、用語「アドレス情報（ａｄｄｒｅｓｓ  ｉｎｆｏｒｍａｔｉｏｎ）」は、中間のノード（例えば、ＳＭＳＣノード）の行き先アドレス情報、およびＵＳＳＤシーケンス情報の両方を含んでおり、これらは、上述のように、格納されているか、そうでなければ提供され得る。
【００４８】
図２は、本特許開示の１つ以上の実施形態にしたがう、ネットワークノード（例えば、エンタープライズサーバ）の遠隔制御を実行するための流れ図２００を示している。ＵＥデバイス１０２Ａは、ユーザが、エンタープライズ／ネットワークサービス特徴が活性化されることを要求するときに、ＣＳコールに従事している。要求メッセージ２０２は、エンタープライズサーバ１２２によって理解されるフォーマットで、ＵＥデバイス１０２Ａ上で実行しているアプリケーションによって生成され得、これは、ラッパー、例えば、メッセージベースのラッパー、ＵＳＳＤベースのラッパー、またはＵＵＳベースのラッパーに配置される。一実施形態において、要求メッセージの生成に関連して、アプリケーション層タイマー機構（例えば、タイマー２０５）が開始され得、これは、返答を受信すると停止され得る。タイマーが満了した場合、ＵＥデバイスは、メッセージを再送信することを試み得る。以下は、ＵＥデバイスによって構成され得、エンタープライズノードによって用いられ得る、情報要素の例示的な（しかしこれらには限定されない）リストである：
ａ）プライベートユーザ識別（ＩＭＳＩ、ＭＩＮ，ＰＩＮ）
ｂ）パブリックユーザ識別（パーティ−ＵＥのＥ．１６４ナンバー、エンタープライズラインのＥ．１６４ナンバー、拡張ＩＤ）
ｉ．ネットワークノード（エンタープライズサーバ）は、誰がサービスを要求しているのかを知る必要がある。それは、この場合においてエンタープライズが所有しているパブリックユーザＩＤを理解するだけのものであり得る。あるものは、それがインスタンスＩＤとの組み合わせで特定のユーザから来ることのみが保証される必要があるので、ＵＥデバイスのＥ．１６４をも含み得る。通信は両側のみが理解し、一意的にユーザを識別するキーを用いて暗号化されるので、これは要求されないことがあり得るということに留意されたい。
【００４９】
ｃ）インスタンス識別子（ＩＭＥＩ、ＥＳＮ、ＭＡＣアドレス、ＰＩＮ）
ｉ．ここで、あるものは、このＩＤを含み得る。なぜならば、我々は、例えば、ＵＥデバイスがサポートしないサービスを活性化することを望まないからである。そのようなＩＤは、サービスが呼び出され得るか、活性化され得るか、不活性化され得るか、または無視され得るかを決定するために、データベースにおいてクエリされ得る。
【００５０】
ｄ）加入者の位置（ＣＧＩまたはその一部分、ＧＰＳ，ウェイポイント（ｗａｙｐｏｉｎｔ）等）
ｉ．サービスの制御は、加入者が費用を出している場所のみに制限され得る。
【００５１】
ｅ）あるものが通信したいと望んでいるサービスのコード
ｆ）サービスのためのデータ
単一メッセージ（例えば、ＳＭＳメッセージ）の長さの制限が存在するが、大きな要求メッセージを小さなラッパーに細分化することが可能である。ラッパーまたはラッパーセグメントは、１つ以上の中間のノード２０３に転送され、これは、ラッパーメッセージを処理し、処理されたメッセージ２０４をエンタープライズサーバ１２２に転送する。一実施形態において、中間のノード２０３は、キャリアネットワークによって提供されるＳＭＳＣを含み得る。あるいはＳＭＳＣノードは、第３者サービスによってホストされ得る。別の実施形態において、中間のノード２０３は、ＵＳＳＤゲートウェイを含み得る。当業者は、ＧＳＭにおけるＣＳコールの間に、双方向アプリケーションに対して、より短い折り返し応答時間を提供するＵＥデバイスから、セッション指向の機構で、ＵＳＳＤメッセージを送信することが可能であることを理解し得る。さらに、ＵＳＳＤメッセージは、ＵＥデバイスのホーム提供サーバ（例えば、ＨＬＲまたはＨＳＳ）にルーティングされ得、その後、適切なゲートウェイノードを介して、エンタープライズサーバ１２２にルーティングされ得る。なおもさらなる実施形態において、中間のノードはまた、エンタープライズ（ＵＵＳベースのコール制御信号伝達を受信し、それを送信する）に基づく機能であり得る。この機能の主な目的は、その後それが抽出し、エンタープライズサーバに転送し得る、ＵＵＳメッセージを探すことである。それはまた、もとの発信ＵＥに任意の応答を射出し得る。
【００５２】
したがって、完全な実装であるかどうかに関わらず、図２のメッセージフローの実施形態２００に関連して、ＳＭＳ／ＵＳＳ／ＵＳＳＤパスを実行する際に呼び出され得る、その他のネットワーク要素が存在し得、これは、簡略化のために省略されているということが、理解されるべきである。また、より少ないネットワーク要素が呼び出され得る実装が存在し得る（例えば、ＵＳＳＤゲートウェイは、ホーム提供サーバを介して通信する必要はない）。
【００５３】
中間のノード２０３からエンタープライズサーバ１２２までのメッセージルーティングは、電話番号（例えば、Ｅ．１６４ナンバー）、ＩＰアドレス等によって活性化され得る。ラップされたサービス特徴メッセージを受信すると、エンタープライズサーバ１２２に関連するサービスロジックは、メッセージに作用するように実行され（ブロック２０６に図示されている）、これは、要求されたサービス特徴を実行する。その後、確認または受領確認が、応答パス２０８、２１０を介して、もとのＵＥデバイス１０２Ａに送信され得る。さらに、既に示唆されたように、ＵＥデバイスにおいてタイマーが開始された場合に、それは、確認メッセージを受信すると、送信され得る。当業者は、タイマーは、製造業者においてハードコードされ得るか、あるいは本明細書に開示されている機構を用いることにより、エンタープライズまたはオペレータによって提供され得るということを理解し得る。さらに、本明細書に記載されているメッセージングフローの１つ以上のセグメントは、安全を目的として暗号化され得る。
【００５４】
図３は、一実施形態にしたがう本特許開示の流れ図３００を示しており、ＵＥデバイスおよび／または関連するアプリケーションサーバにおいて、それらの遠隔制御を実行するために、様々なプロセスが実行される。ブロック３０２において、ＵＥデバイス（例えば、図１に示されているＵＥデバイス１０２Ａ）は、エンドポイント（例えば、図１におけるＵＥデバイス１０２Ｂ）とＣＳ接続する。ユーザによって、ＵＥデバイスがＣＳ接続に従事している間に、エンタープライズサービス特徴が、エンタープライズサーバにおいて活性化されるべきであることが決定されると（すなわち、サーバはパケット交換接続を介してアクセス可能でない）（ブロック３０４）、ＵＥデバイス上で実行しているアプリケーションソフトウェアは、ユーザ入力に応答して、要求されたエンタープライズサービスに関連するコマンドメッセージを構成し、別のタイプのネットワークに属するラッパー（例えば、上述のようなＳＭＳまたはＵＳＳＤラッパー）にメッセージをラップする（ブロック３０６）。１つの実装において、メッセージの内容は、より高いレベルの安全性を提供するために、暗号化され得る。中間のネットワークインフラストラクチャ（例えば、ＳＭＳＣノードまたは（単数または複数の）ＵＳＳＤゲートウェイ）は、それを受信するとラップされたメッセージを処理し、エンタープライズサーバにそれを転送する（ブロック３０８）。上述のように、エンタープライズサーバは、要求されたサービス特徴を実行し、もとのＵＥデバイスへの送信に応答して、受領確認または確認を生成する（ブロック３１０）。応答は、ＣＳコールに関連して、帯域外制御チャネルを介して、または（例えば、ＣＳコールが終了したので）直接的なデータ接続が利用可能な場合には、ＵＥデバイスとエンタープライズサーバとの間のパケット交換データ接続を介して、送信され得る。したがって、当業者は、ＵＥデバイスからエンタープライズサーバに要求メッセージを送信するために用いられるプロトコルは、応答を返信するために用いられるプロトコルと必ずしも同じである必要はないということを理解し得る。
【００５５】
上述に基づくと、例示的な実施形態は、ＵＥデバイスと共に動作するネットワークノードを制御するためのスキームを提供しており、ＵＥデバイスは、第１の接続および第２の接続で、ネットワークノードと通信し得るということを、理解することができる。既に示唆されたように、第１および第２の接続は、２つの異なるネットワークまたは技術（例えば、ＣＳ接続および非ＣＳ接続）上で実行可能である。例示的な実施形態は、以下の１つ以上を含み得る：ネットワークノードは、第１の接続を用いて、第１のネットワークを介してアクセス可能ではないということを決定すること；ネットワークノードにおいて実行されるべきサービス特徴に関連するメッセージを構成すること；メッセージを第２のネットワークに属するラッパーにラップし、このラッパーを第２のネットワークを介してネットワークノードに配向すること。したがって、上述の動作を実行するために、適切なロジックブロックまたはモジュールが、ＵＥデバイスに提供される。
【００５６】
図４は、本特許開示の目的のための、ＵＥデバイス（例えば、ＵＥ  １０２Ａ）として動作可能な通信デバイスの実施形態のブロック図を示している。ＵＥ  １０２Ａの実施形態は、図４に示されているものに類似した配置を含み得るが、示されている多数の様々なモジュールに関連して、ハードウェア、ソフトウェア、またはファームウェアにおいて、多数の様々な変更が存在し得るということが、この図を参照したときに、当業者によって理解されるべきである。さらに、本特許開示の目的のためのＵＥデバイスは、リムーバブル格納モジュールなしのモバイル機器（ＭＥ）デバイス、および／またはそのような格納モジュールに接続されたモバイルデバイスを含み得る。したがって、図４の配置は、本特許開示の実施形態を制限するものではなく、本特許開示の実施形態の例示として解釈されるべきである。ＵＥ  １０２Ａの実施形態の全体の制御を提供するマイクロプロセッサ４０２は、好適にはマルチモードの通信（例えば、ＣＳドメインおよびＰＳドメイン）が可能な通信サブシステム４０４に、動作可能なように接続されている。通信サブシステム４０４は、一般に、１つ以上の受信機４０８および１つ以上の送信機４１４、ならびに１つ以上の局所発振器（ＬＯ）モジュール４１０のような関連のあるコンポーネント、ならびにデジタル信号プロセッサ（ＤＳＰ）４１２のような処理モジュールを含んでいる。通信分野の当業者によって理解されるように、通信モジュール４０４の特定の設計は、モバイルデバイスが動作することが意図されている通信ネットワーク（例えば、ＣＤＭＡネットワーク、ＧＳＭネットワーク、ＷＬＡＮ等）に依存し得る。しかしながら、特定の設計とは関係なく、適切なアクセスインフラストラクチャ４０５（例えば、セルラ基地局タワー、ＷＬＡＮホットスポット等）を介してアンテナ４０６によって受信される信号は、受信機４０８に提供され、これは、信号増幅、周波数ダウン変換、フィルタリング、チャネル選択、アナログデジタル（Ａ／Ｄ）変換等の共通の受信機機能を実行し得る。同様に、送信されるべき信号は、例えばＤＳＰ４１２によって、変調およびエンコーディングを含む処理をなされ、デジタルアナログ（Ｄ／Ａ）変換、周波数アップ変換、フィルタリング、増幅およびアンテナ４１６を介する無線インターフェース上の送信のために、送信器４１４に提供される。
【００５７】
マイクロプロセッサ４０２はまた、さらなるデバイスサブシステム、例えば、補助入力／出力（Ｉ／Ｏ）４１８、シリアルポート４２０、ディスプレイ４２２、キーボード／キーパッド４２４、スピーカ４２６、マイクロフォン４２８、ランダムアクセスメモリ（ＲＡＭ）４３０、短距離通信サブシステム４３２、および一般に参照番号４３３としてラベルが付けられた、およびその他任意のデバイスサブシステム（例えば、タイマー機構）とインターフェースし得る。アクセスを制御するために、マイクロプロセッサ４０２と通信するＵＳＩＭ／ＲＵＩＭインターフェース４３４もまた、提供され得る。１つの実装において、ＵＳＩＭ／ＲＵＩＭインターフェース４３４は、多数のキー構成４４４、およびその他の情報４４６（例えば、識別および加入者関連のデータ、およびＳＭＳＣ／中間ノードの行き先アドレス情報、および上述のＵＳＳＤシーケンス情報）を有している、ＵＳＩＭ／ＲＵＩＭカードと共に動作可能である。
【００５８】
オペレーティングシステムソフトウェアおよび適用可能なサービスロジックソフトウェアは、例えばフラッシュメモリ４３５のような、永続性の格納モジュール（すなわち、不揮発メモリ）に実体化され得る。１つの実装において、フラッシュメモリ４３５は、様々なエリア、例えば、コンピュータプログラム４３６のための格納エリア（例えば、サービス処理ロジック）、およびデータ格納領域（例えば、デバイス状態４３７）、アドレスブロック４３９、その他の個人情報管理（ＰＩＭ；ｐｅｒｓｏｎａｌ  ｉｎｆｏｒｍａｔｉｏｎ  ｍａｎａｇｅｒ）データ４４１、および一般に４４３としてラベルが付けられているその他のデータ格納エリアに分離され得る。転送スタック４４５は、１つ以上の適切な無線パケット転送プロトコルを実行するために、提供され得る。加えて、適切なエンタープライズサービス要求ロジックおよびＳＭＳ／ＵＵＳ／ＵＳＳＤメッセージングロジック４４８（永続性のアドレス情報を格納するために、メモリ格納装置を含む）が、上述のようなエンタープライズサーバでサービスおよび／または特徴の遠隔制御を実行するために提供される。
【００５９】
本特許出願の実施形態の動作および構成は、上述された詳細な説明から理解されるであろう。示され、記載されてきた例示的な実施形態は、好適に特徴付けられるが、以下の請求の範囲に記載されている本開示の範囲から逸れることなしに、様々な変化および変更が本明細書になされ得ることが、容易に理解されるべきである。
【符号の説明】
【００６０】
１００  ネットワーク環境
１２２  エンタープライズサーバ
１０２Ａ  ＵＥデバイス
２０５  タイマー
２０３  中間のノード
４０２  マイクロプロセッサ
４３６  コンピュータプログラム
４４８  エンタープライズサービス要求ロジック
４３３  その他任意のデバイスサブシステム
【図１】
2011244477.tif 000005
【図２】
2011244477.tif 000006
【図３】
2011244477.tif 000007
【図４】
2011244477.tif 000008